(57)【要約】【課題】  ダライ粉の再利用を行うさい、製鋼所へ返戻させることなく、鋳物工場へ直接返送可能になし、生産性の向上と製品コストの低減化を図る。【解決手段】  ダライ粉を一定の傾斜角度で回転する横置ドラムの上流側へ送り込むと共に、該ドラム内を熱風通路に形成し、ダライ粉が該ドラム内を上流側から下流側へ向かって通過する過程でダライ粉に付着する水分を１００％、油分は６０％〜８０％程度に除去するようになす。このさい、横置ドラム内の長さ方向壁面にはスパイラルフィンを取付けると共に、隣り合うフィン間の適当間隔を堰板で仕切り、ドラムの回転に伴いダライ粉がドラム内空間を一定高さに持ち上げられては落下されながら移送される構成になしてある。【選択図】      図１
2008002768.tif 000002
【特許請求の範囲】
【請求項１】
ダライ粉を一定の傾斜角度で回転する横置ドラムの上流側へ送り込むと共に、該ドラム内を熱風通路に形成し、ダライ粉が該ドラム内を上流側から下流側へ向かって通過する過程でダライ粉に付着する水分を１００％、油分は６０％〜８０％程度に除去するようになすことを特徴とするダライ粉乾燥処理方法。
【請求項２】
熱風温度は下流側が高温で上流側が低温となされていることを特徴とする請求項１記載のダライ粉乾燥処理方法。
【請求項３】
横置ドラム内の長さ方向壁面に対しスパイラルフィンを取付けると共に、隣り合うフィン間の適当間隔を堰板で仕切り、ドラムの回転に伴いダライ粉がドラム内空間を一定高さに持ち上げられては落下されながら移送されることを特徴とする請求項１又は２記載のダライ粉乾燥処理方法。
【発明の詳細な説明】
【技術分野】
【０００１】
本発明はダライ粉の乾燥処理方法に関する。
【背景技術】
【０００２】
鋳造鋳物の製品製造工程で発生するダライ粉（削り屑、切り粉）は、リサイクル用素材原料として製鋼所へ返戻されて再利用されるものとなるが、多くの水分や油分（少なくとも７０％〜９０％）を含有しており、これがためその処理扱いは面倒である。即ち、これが製鋼所へ直接的な持ち込みの行われる場合は、油水分の流出による環境汚染問題の対策が必要になる。
【特許文献１】特開平５−３４０６７号
【発明の開示】
【発明が解決しようとする課題】
【０００３】
本発明は上記の現状に鑑み、ダライ粉を一定の必要条件に乾燥処理を施すことにより、直接的に鋳物工場へ返戻させて電気炉による溶解を可能にして、生産性の向上とコストの低減化に寄与せしめんとするものである。
【課題を解決するための手段】
【０００４】
本発明は鋳造鋳物の製品製造工程で発生するダライ粉を一定の傾斜角度で回転する横置ドラムの上流側へ送り込むと共に、該ドラム内を熱風通路に形成し、ダライ粉が該ドラム内を上流側から下流側へ向かって通過する過程でダライ粉に付着する水分を１００％、油分は６０％〜８０％程度に除去するようになすことを特徴とする。このさい、熱風温度は下流側が高温で上流側が低温となるようになされるのであり、また上記横置ドラム内の長さ方向壁面に対しスパイラルフィンを取付けると共に、隣り合うフィン間の適当間隔を堰板で仕切り、ドラムの回転に伴いダライ粉がドラム内空間を一定高さに持ち上げられては落下されながら移送されるようにする。
【発明の効果】
【０００５】
本発明は研削作業現場で発生するダライ粉をプレスや遠心分離機にかけて単に油分を除去するのではなく、熱風乾燥で水分は１００％を、そして油分は６０％〜８０％程度の除去が行われるように横置式の回転ドラムを使用して簡便且つ効率良く行わしめ、製品コストの低減と生産性の向上に寄与せしめるのである。
【発明を実施するための最良の形態】
【０００６】
図１は本発明方法を実施する装置の一部破断正面図、図２は側面図である。図面に於いて、１はダライ粉供給用のホッパー、２はその底面部に設けた送り込み用のスクリューコンベア、３はその前方に配置した熱風乾燥ドラムであって、架台４上へ一定の傾斜角度で緩徐に回転されるものになされると共に、該ドラム内の下流側（ロ）から上流側（イ）へ向け熱風を通過させるロータリキリンの構成となされる。具体的にはドラム３の長さ方向に於ける複数箇所（図示例では２ヶ所）の周胴部に対し歯車帯５を取付けると共に、該架台４の巾方を跨ぐ両側上へ上記歯車帯５の夫々れと噛合する小歯車６を配設し、且つこれらの小歯車６を対合する一対の支持軸７とその軸受手段８を介し支持させるものとなす。而して、９は架台４内部に設けた駆動モータであって、この回動を鎖輪１０及びチェン１１を介し上記支持軸７の１つに固着させた鎖輪１２に伝達させ、凡そ１分間に１回転される緩徐な回転が行われるようになしてある。このさい、ドラム径や長さは任意に設計することができるが、本実施例に於けるドラム半径は４５ｃｍ、長さ寸法は３ｍになされている。
【０００７】
一方、１３は架台４内に配設した送風機、１４はその外方へ隣接配置したボイラー装置であって、該ボイラー装置の熱風を上記送風機１３の運転と共に管路１５ａ，１５ｂを介し、先ず以って上記ドラム３内の下流側（ロ）へ送り込むようになすのであり、この送り込みにはダライ粉の排出の邪魔にならないよう、即ちドラム上方からその内方へ向けて吐出させるようになしてある。このさい、１６は上記管路１５ｂ及びドラム３の出口端を含む下流側の一定範囲を被蔽する如く設けしめてなるフードチャンバーであり、該フードチャンバー１６の上部には排気口１７が取付けてある。
【０００８】
他方、１８は上記ドラム３の上流側でスクリューコンベア２の出口側を含む一定範囲が被蔽される如くなして設けてある今一つのフードチャンバーであって、その上方部には排気口１９が取付けてある。
【０００９】
上記のフードチャンバー１６及び１８は、次述するダライ粉の熱風乾燥処理中に発生する油分や水蒸気などを外方へ拡散させることなく収集するようになすためのものであって、上記の各排気口１７及び１９には別途接続管で図示しない集塵装置へ導かれるものとなされている。
なお、本発明に於ける上記ドラム３の内周面には、その上流側（イ）から下流側（ロ）へ向かってスパイラルフィン２０が形成されるものとなされており、このさい該スパイラルフィン２０の翼高ｈは凡そ１０ｃｍ程度のものにしてドラム３内へ比較的大きな内部空間路２１が形成されるようになすのであり、且つ隣り合うフィン間には円周方向の適当間隔（実施例では２０ｃｍ）で両者間を跨ぐ状態に堰板２２を設けたものとなしてある。
【００１０】
本発明は上記構成の装置に於いて、鋳造鋳物の製造工程で発生するダライ粉を供給ホッパー１へ投入すると共に、スクリューコンベア２の駆動でダライ粉が定量的にドラム３の上流側（イ）へ連続的に送り込まれるようになされるのである。ところで、ドラム３は駆動モータ９の駆動で回動されるものとなされており、また該ドラム３内にはボイラー装置１４からの熱風が送風機１３の運転と共に管路１５ｂを経てドラム３内の下流側（ロ）に吹き込まれるのであり、従って該熱風はドラム３内に形成されている比較的大きな内部空間路２１を通り上流側（イ）へと流れ、フードチャンバー１８内では一時的な滞留が行われるようにして該室内を予熱乾燥に必要な一定温度に保持しながら、排出口１９から図示しない集塵装置へ吐出されるものとなされるのである。このさいフードチャンバー１６内の温度は１８０℃〜２００℃に、そしてフードチャンバー１８内の温度は８０℃〜１００℃の温度に保持されるべく、図示しない制御手段で制御されるようになしてある。
【００１１】
ところで、スクリューコンベア２からドラム３の上流側（イ）へ投入されるダライ粉は、ドラム３の回動と共に該ドラム３の内周面に設けたスパイラルフィン２０を介して下流側（ロ）へと連続的に移送されるようになされるのであるが、このさい該ドラム３は下流側へ向かって図示例の如く下降する一定の傾斜角度に配設させてあり、且つ隣り合うスパイラルフィン２０間を跨ぐ状態でその適当間隔に堰板２２が設けてあることから、ドラム３内でスパイラルフィン２０に沿って移送されるダライ粉は、各堰板箇所でせき止められながらドラム３の上向き回動で順次堰板を越えさせられて下方へ向け落下するようになされるのである。即ち堰板２２でドラム３内に於ける一定高さ上方へ必ず持ち上げられては底面側へ落下させられるのであり、これによりダライ粉はドラム３内の長さ方向で好ましい散布状態下になされ、且つ内部空間路２１を流れる熱風により設定条件の乾燥処理が施されるものとなる。
【００１２】
本発明による乾燥処理は、上記した横置式回転ドラム３内でダライ粉の水分は突然に１００％、油分は６０％〜８０％に除去されるようになすのであり、これはドラム３の下流側出口端付近箇所に検体の採取口を設け、定時的な計測が行われるようにして制御するのであり、且つ計測値に基づく変更はドラム３の回転数を適宜異ならしめたり、或いは熱風温度を変更させたりして行われる。而して、これらはシーケンス回路などによる自動制御手段を備えた別設装置にすることができる。
【００１３】
本発明でダライ粉に付着する油分が６０％〜８０％となるように除去することは、本発明者の幾多の実験結果から得られたものであって、即ち６０％以下の場合はその再生利用にさいし、溶解炉（電気炉）中でガスが多量発生したり、また溶解温度が上昇し過ぎて成分変化（品質低下）を生じさせる問題となるのであり、これに対し８０％以上の場合は酸化による錆の発生問題などがあって、上記同様に再生鋳物の品質低下を招来させる問題を生ずるのである。なお、水分除去を１００％に実施することは、上記溶解時に於ける水蒸気爆発を防止するためである。
【００１４】
本発明は以上の如くダライ粉の水分は１００％、油分は６０％〜８０％の間で除去されるように乾燥処理することにより、ダライ粉を鋳造工場へ直接に返戻させて効率良く再生利用を可能ならしめるものであり、且つその乾燥処理にさいしては横置式の回転ドラムを使用して簡便且つ迅速に行われるものとなすのであり、而してその乾燥処理されたダライ粉は直接的に鋳物工場で再生溶解による使用を可能にするため、製造コストの低減化と生産性の向上に寄与すること大ならしめるものとなる。
【図面の簡単な説明】
【００１５】
【図１】本発明方法を実施する装置の一部破断正面図である。
【図２】上記の一部破断側面図である。
【符号の説明】
【００１６】
１      供給ホッパー
２      スクリューコンベア
３      ドラム
４      架台
５      歯車帯
６      小歯車
７      支持軸
８      軸受手段
９      駆動モータ
１３    送風機
１４    ボイラー装置
１６    フードチャンバー
１８    フードチャンバー
２０    スパイラルフィン
２１    内部空間路
２２    堰板
【図１】
2008002768.tif 000003
【図２】
2008002768.tif 000004